(57)【要約】【解決手段】ケーブル組立体と共に使用するための電気コネクタアダプタ（１００）が提供される。アダプタは、第１及び第２のコンタクト組（１０６，１１０）、並びにハウジング（１０２）を有する。ハウジングは、相手コネクタと結合するよう構成された第１嵌合面（１０４）と、ケーブル組立体と結合するよう構成された第２嵌合面（１０８）とを有する。第１及び第２の嵌合面（１０４，１０８）は、異なる第１及び第２のパターンで第１及び第２のコンタクト組をそれぞれ保持する。ストレインリリーフ（１１６）は、ハウジングから延びて形成されている。ストレインリリーフは、第２嵌合面を越えて突出しており、ケーブル組立体が第２嵌合面に結合される際にケーブル組立体がストレインリリーフに支えられるように配置される。任意であるが、固定部材が、ストレインリリーフにケーブル組立体を固定するよう構成されている。
2009512139.tif 000002
【特許請求の範囲】
【請求項１】
第１及び第２のコンタクト組（１０６，１１０）と、相手コネクタと結合するよう構成された第１嵌合面（１０４）を有するハウジング（１０２）と、ハウジングから延びるストレインリリーフ（１１６）とを具備する電気コネクタアダプタ（１００）であって、
前記ハウジングは、ケーブル組立体コネクタ（１５２）と嵌合するよう構成された第２嵌合面（１０８）を有し、
前記第１嵌合面及び前記第２嵌合面は、異なる第１及び第２のパターンで前記第１及び第２のコンタクト組をそれぞれ保持し、前記ケーブル組立体コネクタ及び前記相手コネクタで異なる信号コンタクト構成間のインタフェースを提供し、
前記ストレインリリーフは前記第２嵌合面を越えて突出し、前記ケーブル組立体コネクタが前記第２嵌合面に嵌合する際に前記ケーブル組立体コネクタが前記ストレインリリーフによって保持されるように前記ストレインリリーフが配置されることを特徴とするアダプタ。
【請求項２】
前記第２嵌合面は、該第２嵌合面に横並びで実装された少なくとも２個のケーブル組立体コネクタに結合されるよう構成され、
前記アダプタは、前記ストレインリリーフに前記少なくとも２個のケーブル組立体コネクタを固定するよう構成された固定部材（２４０，２４２）をさらに具備することを特徴とする請求項１記載のアダプタ。
【請求項３】
前記ストレインリリーフは、前記第２嵌合面から離間すると共に前記第２嵌合面の幅にわたる横バー（１３０）を有することを特徴とする請求項１記載のアダプタ。
【請求項４】
前記ストレインリリーフは、前記第２嵌合面の両側に沿って、前記ハウジングから該ハウジングと一体に延びる１対の支持アーム（１１８，１２０）を有することを特徴とする請求項１記載のアダプタ。
【請求項５】
前記ストレインリリーフは、前記ケーブル組立体コネクタが前記第２嵌合面に結合される際に配置される領域に直ぐ隣接して配置された台を形成することを特徴とする請求項１記載のアダプタ。
【請求項６】
前記第２嵌合面は嵌合平面を画定し、
前記ストレインリリーフは、前記嵌合平面に対して直交する外方へ突出することを特徴とする請求項１記載のアダプタ。
【請求項７】
前記アダプタは、前記ストレインリリーフに前記ケーブル組立体を固定するよう構成された固定部材をさらに具備し、
該固定部材は、ワイヤタイ、ケーブルタイ、ロック帯、ラッチ、接着剤及びクリップのうち少なくとも１個を有することを特徴とする請求項１記載のアダプタ。
【請求項８】
前記アダプタは、前記ストレインリリーフを前記ケーブル組立体に固定するよう構成された固定部材をさらに具備し、
該固定部材は、前記ストレインリリーフと一体に形成されたロックアーム（２７０）を有し、
該ロックアームは、前記ストレインリリーフに回転可能に結合された第１端（２７８）と、前記ストレインリリーフに固定されるラッチを有する第２端（２８０）とを有することを特徴とする請求項１記載のアダプタ。
【請求項９】
前記ストレインリリーフは平坦な板を形成することを特徴とする請求項１記載のアダプタ。
【発明の詳細な説明】
【技術分野】
【０００１】
本発明は、電気コネクタに関し、特に、ストレインリリーフを有する電気コネクタアダプタに関する。
【背景技術】
【０００２】
電気コネクタは、パーソナルコンピュータ、工業システム、ネットワーク等の多くのシステム内で使用されている。多くの異なる利用可能なコンタクトピンパターン、電線配列、インタフェースフォーマット及びコネクタタイプがある。異なる２以上のタイプのコネクタ間のインタフェースとして、電気コネクタアダプタを使用することが必要な場合がある。
【発明の開示】
【発明が解決しようとする課題】
【０００３】
電気コネクタアダプタを使用する際に遭遇する問題の一つに、単一又は複数のコネクタがアダプタから接続解除してしまうことである。従って、供給又は伝送される信号、データ、電力が遮断され、例えば相互接続の問題が解消するまで、データの破損やデータ、生産性の損失を生ずる。また、ケーブル及びコネクタ間に形成された電線及びピンの接続は脆弱であるおそれがある。従って、ケーブルの移動量が大きい場合、電線及びピンが破損又は分離し、接続連続性の完全な又は断続的な損失を生ずる。よって、発明が解決しようとする課題は、アダプタから接続解除されるコネクタ、及びコネクタ及びケーブル組立体間の脆弱な接続を解消することである。
【課題を解決するための手段】
【０００４】
解決手段は、本明細書に開示された第１及び第２のコンタクト組、並びにハウジングを有する電気コネクタアダプタにより提供される。ハウジングは、相手コネクタと結合するよう構成された第１嵌合面と、ケーブル組立体と結合するよう構成された第２嵌合面とを有する。第１及び第２の嵌合面は、異なる第１及び第２のパターンで第１及び第２のコンタクト組をそれぞれ保持する。ストレインリリーフは、ハウジングから延びて形成されている。このストレインリリーフは、第２嵌合面を越えて突出しており、ケーブル組立体が第２嵌合面に結合される際にケーブル組立体がストレインリリーフに支えられるように配置される。
【発明を実施するための最良の形態】
【０００５】
以下、添付図面を参照して本発明を例示により説明する。
【０００６】
図１及び図２は、本発明の一実施形態に従った電気コネクタアダプタ（以下単にアダプタという）１００の斜視図である。このアダプタ１００は、異なる２個のコネクタインタフェースの間、或いはコネクタ及び／又はケーブル構成の間にインタフェースを提供する。アダプタ１００は、底面１２４の反対側に形成された上面１２２、及び第２側壁１２８の反対側に形成された第１側壁１２６が設けられたハウジング１０２を有する。ハウジング１０２は前端１４０を有する。前端１４０は第１嵌合面１０４を有し、第１嵌合面１０４は、相手コネクタ（図示せず）と結合すなわち接続するために１つのコンタクト組１０６を有する。相手コネクタは、例えばプリンタ、パーソナルコンピュータ等の電子箱の部品、回路基板又は背面に配置することができる。ねじ式ロック１３２，１３４は、第１及び第２の側壁１２６，１２８近傍にハウジング１０２の対向する側壁上に回転可能にそれぞれ実装されている。ねじ１３６，１３８は、ねじ式ロック１３２，１３４から延びてハウジング１０２を部品に固定する。
【０００７】
ハウジング１０２は後端１４２を有する。後端１４２は第２嵌合面１０８を有し、第２嵌合面１０８は、ケーブル組立体（図６、図９及び図１２参照）に結合できる１つのコンタクト組１１０を有する。第２嵌合面１０８は幅Ｗ1を有する。後端１４２は前端１４０に対向しているが、或いは、互いに鋭角又は直角に配向されてもよい。
【０００８】
ストレインリリーフ１１６は、ハウジング１０２と一体に形成される。ストレインリリーフ１１６は、ハウジング１０２から第２嵌合面１０８を越えて延びており、上面２４８及び両側壁２７４，２８６を有する。第２嵌合面１０８は第１平面に沿って整列するのに対し、ストレインリリーフ１１６は第１平面にほぼ直交する第２平面に沿って整列する。任意であるが、第１及び第２の平面間に形成される角度は、90°、ほぼ90°又は90°より大きいか小さくてもよい。ストレインリリーフ１１６は、ハウジング１０２から第１及び第２の側壁１２６，１２８と一体にそれぞれ延びる第１及び第２の支持アーム１１８，１２０を有する。ストレインリリーフ１１６は、第２嵌合面１０８から距離Ｄ1だけ離間してそれらの間に開口１１７を形成する横バー１３０を有する。ストレインリリーフ１１６は、第２嵌合面１０８の幅Ｗ1にわたる。横バー１３０は、第２嵌合面１０８に相互接続されると１本以上のケーブル組立体が載置できる台（platform）を形成する。任意であるが、ストレインリリーフ１１６は、台等の、開口１１７の無い中実材料で形成されてもよい。
【０００９】
開口１４４は横バー１３０に形成され、横バー１３０を貫通する。これらの開口１４４は、ケーブル組立体が第２嵌合面１０８に相互接続される際に、１本以上のケーブル組立体をしっかりと所定位置に保持する１個以上の固定部材（図示せず）を受容することができる。任意であるが、横バー１３０は、開口１４４の無い中実材料で形成されてもよい。
【００１０】
図３は、第１嵌合面１０４の正面図である。コンタクト組１０６内のコンタクトピン１１２は、第１コンタクトパターンを形成する。例えば、第１嵌合面１０４内のコンタクト組１０６は、ピン番号１〜２５が指定された２５個のコンタクトピン１１２を有してもよい。これらのピン１１２は、第１平面のピン１１２が第２平面のピン１１２に対してオフセットした状態で互いに平行な２平面に矢印Ａの方向に沿って配列されている。例えば、第１嵌合面１０４は、ＤＢ２５型の相手コネクタであってもよい。或いは、コンタクト組１９６は、ＤＢ２９型の相手コネクタを形成する９本のピン１１２を有するパターンを形成してもよいし、また、４９本のピン１１２を有するパターンを形成してもよい。他のパターンを形成してもよく、コンタクト組１０６内に他の数のピン１１２を使用してもよいことを理解されたい。
【００１１】
図４は、第２嵌合面１０８の正面図である。コンタクト組１１０は、コンタクト組１０６とは異なるコンタクトパターンを形成する。コンタクト組１１０は、矢印Ａ方向に沿って互いに平行な２つの平面で且つ矢印Ｂ方向に沿って互いに平行な１２の平面に、第２嵌合面１０８内に保持された２４本のピン１１４を有する。２４本のピン１１４の各々はそれぞれ１本のピン１１２に連通しているので、コンタクト組１０６のうちの１本ピン１１２は使用されなくてもよい。第２嵌合面１０８は、例えば２mm多ピンプラグコネクタを形成してもよい。第１嵌合面１０４及び第２嵌合面１０８は、ピン配列の典型的な実施形態である。１タイプのコネクタを異なるタイプのコネクタに相互接続するために、アダプタ１００が他のピン配列を使用してもよいことを理解されたい。
【００１２】
図５は、本発明の一実施形態に従ったアダプタ１００及びこのアダプタ１００に結合されたケーブル組立体１５０を示す。ケーブル組立体１５０は、アダプタ１００の第２嵌合面１０８に結合されるケーブル１５４の第１端１５６にコネクタ１５２を有する。ケーブル組立体１５０は、第２嵌合面１０８と同数のピン及び同じコンタクトパターンを有する。ケーブル１５４の第２端１５８は、異なるコネクタ（図示せず）、或いは部品に配線されたハードウエアに取り付けられてもよい。
【００１３】
図６は、本発明の一実施形態に従ってケーブル組立体１５０に相互接続されたアダプタ１００を示す。コネクタ１５２は、第２嵌合面１０８に受容される。ケーブル組立体１５０は、アダプタ１００のストレインリリーフ１１６の上面２４８に支えられる。
【００１４】
図７は、本発明の一実施形態に従った図５のケーブル組立体１５０のコネクタ１５２内のコンタクト組１６２と図４の第２嵌合面１０８とを示す。コンタクト組１６２は２４個の孔１６４を有し、各孔は、第２嵌合面１０８の１本のピン１１４を受容する。コンタクト組１６２は、矢印Ｃの方向に沿って互いに平行な２平面で且つ矢印Ｄ方向に沿って互いに平行な１２平面を占めるよう配列される。コネクタ１５２は第２嵌合面１０８内に挿入され、孔１６４でピン１１４を受け容れる。コンタクト組１１０，１６２は、代替構成を可能にする、図示された配列とは別の配列であってもよい。
【００１５】
図８は、本発明の一実施形態に従ったアダプタ１００、並びにこのアダプタ１００に結合された第１及び第２のケーブル組立体１７０，１７２を示す。第１ケーブル組立体１７０は第１コネクタ１７４及びケーブル１７６を有し、第２ケーブル組立体１７２は第２コネクタ１７８及びケーブル１８０を有する。第１及び第２のケーブル組立体１７０，１７２は、同数のピン及び同じコンタクトパターンを有し、コンタクトパターンは、第２嵌合面１０８内のコンタクト組１１０のコンタクトパターンの半分に一致する。
【００１６】
図９は、本発明の一実施形態に従った、第１及び第２のケーブル組立体１７０，１７２に相互接続されたアダプタ１００を示す。第１及び第２のコネクタ１７４，１７８は平行な一平面を占め、第２嵌合面１０８によって横並びで受容される。第２嵌合面１０８に接続されると、第１及び第２のケーブル組立体１７０，１７２は、アダプタ１００のストレインリリーフ１１６の上面２４８に支えられる。或いは、第１及び第２のコネクタ１７４，１７８は、第１及び第２のケーブル組立体１７０，１７２が互いに重なって第２嵌合面１０８に接続されるように形成されてもよい。従って、代替の組立体及び配列を使用してもよい。
【００１７】
図１０は、本発明の一実施形態に従った図８の第１のケーブル組立体１７０の第１コネクタ１７４内のコンタクト組１８２と図４の第２嵌合面１０８とを示す図である。コンタクト組１８２は１２個の孔１８４を有し、各孔は、第２嵌合面１０８内に保持された１本のピン１１４を受容する。コンタクト組１８２は、矢印Ｅの方向に沿って互いに平行な２平面で且つ矢印Ｆ方向に沿って互いに平行な６平面を占めるよう配列される。第１コネクタ１７４は第２嵌合面１０８内に挿入され、コンタクト組１１０のピン１１４の第１半分１８６を受け容れる。第２コネクタ１７８は第２嵌合面１０８内に挿入され、コンタクト組１１０のピン１１４の第２半分１８８を受け容れる。第１及び第２のケーブル組立体１７０，１７２の一方は他方を伴うことなく使用することができ、単一のケーブル組立体は、第１及び第２の半分１８６，１８８とは異なるコンタクト組１１０のサブセットを使用してもよいことを理解されたい。また、コンタクト組１１０，１６２は、代替の構成を可能にするために異なるコンタクトパターンで配列されてもよい。
【００１８】
図１１は、本発明の一実施形態に従ったアダプタ１００及びこのアダプタに結合された第１、第２及び第３のケーブル組立体２００，２０２，２０４を示す。第１ケーブル組立体２００は第１コネクタ２０６及びケーブル２０８を有し、第２ケーブル組立体２０２は第２コネクタ２１０及びケーブル２１２を有し、第３ケーブル組立体２０４は第３コネクタ２１４及びケーブル２１６を有する。第１、第２及び第３のケーブル組立体２００，２０２，２０４は、同数のピン及び同じコンタクトパターンを有し、コンタクトパターンは、第２嵌合面１０８内のコンタクトパターンの１／３に一致する。
【００１９】
図１２は、本発明の一実施形態に従った、第１、第２及び第３のケーブル組立体２００，２０２，２０４に相互接続されたアダプタ１００を示す。第１、第２及び第３のコネクタ２０６，２１０，２１４は、第２嵌合面１０８によって横並びで受容される。第１、第２および第３のコネクタ２０６，２１０，２１４は、平行な一平面を占める。第１、第２及び第３のケーブル組立体２００，２０２，２０４は、アダプタ１００のストレインリリーフ１１６の上面２４８に支えられる。
【００２０】
図１３は、本発明の一実施形態に従った図１１の第１のケーブル組立体２００の第１コネクタ２０６内のコンタクト組２１８と図４の第２嵌合面１０８とを示す。コンタクト組２１８は８個の孔２２０を有する。各孔は、第２嵌合面１０８の１本のピン１１４を受容する。コンタクト組２１８は、矢印Ｇの方向に沿って互いに平行な２平面で且つ矢印Ｈ方向に沿って互いに平行な４平面を占めるよう配列される。第１、第２及び第３のコネクタ２０６，２１０，２１４は第２嵌合面１０８内に挿入され、コンタクト組１１０のピン１１４の１／３のピン１１４を受け容れる。例えば、第１、第２及び第３のコネクタ２０６，２１０，２１４は、コンタクト組１１０の第１、第２及び第３の部分２２２，２２４，２２６にそれぞれ相互接続される。
【００２１】
１本又は２本のケーブル組立体２００，２０２，２０４は、他のケーブル組立体を伴うことなく使用されてもよいことを理解されたい。或いは、ケーブル組立体１７０，２００のコネクタ１７４，２０６は、第２嵌合面１０８によって横並びに受容されてもよい。任意であるが、異なるコンタクト数、異なる構成を有するコネクタの他の組合せを使用してもよい。
【００２２】
図１４は、本発明の一実施形態に従ったアダプタ１００にケーブル組立体１５０を固定するためのケーブルタイ１６０を示す。ケーブルタイ１６０は、開口１４４の幅Ｗ3及び深さＤ3とほぼ等しいか小さい幅Ｗ2及び深さＤ2を有する。ケーブルタイ１６０は、ケーブル１５４の寸法及び横バー１３０の厚さに依存して変り得る端１４６から端１４８までの全長を有する。ケーブルタイ１６０は、捩じられる際に、その形状を保持するワイヤの形態であってもよい。或いは、ケーブルタイ１６０は、例えばナイロン、Velcro（登録商標）等の当業者に周知の他の材料製であってもよい。
【００２３】
図１５は、本発明の一実施形態に従った、ストレインリリーフ１１６の横バー１３０の２個の開口１４４を通って挿入されたケーブルタイ１６０でケーブル組立体１５０に結合されたアダプタ１００を示す。ケーブル組立体１５０が図示されているが、ケーブル組立体１７０，１７２，２００，２０２，２０４のうちの１本を使用してもよい。コネクタ１５２は、上述したようにアダプタ１００の第２嵌合面１０８に結合される。ケーブルタイ１６０の両端１４６，１４８は、ケーブル１５４のいずれかの側面で２開口１４４を通って挿入される。ケーブルタイ１６０の材料及び構造に依存して、両端１４６，１４８を共に捩じり、互いに固定し、スナップ係合させ、半田付けし、接着し、Velcroで保持し、又はストレインリリーフ１１６に対してケーブル組立体１５０を保持するよう固定してもよい。図９及び図１２等に示されるように１本以上のケーブル組立体を使用する場合、ストレインリリーフ１１６にケーブル組立体を固定するために１本以上のケーブルタイ１６０を使用してもよい。
【００２４】
図１６は、本発明の一実施形態に従った、固定部材並びに第１及び第２のケーブル組立体１７０，１７２を有するアダプタ１００を示す。固定部材は、ストレインリリーフ１１６に第１及び第２のケーブル組立体１７０，１７２を固定するために第１及び第２のラッチ２４０，２４２を有する。この典型的な実施形態において、第１及び第２のケーブル１７６，１８０の直径がほぼ同じであるので、第１及び第２のラッチ２４０，２４２はほぼ同じである。第１及び第２のラッチ２４０，２４２は異なってもよいことを理解されたい。一例として、以下で第１ラッチ２４０について説明する。
【００２５】
第１ラッチ２４０は、ストレインリリーフ１１６の横バー１３０の上面２４８に取り付けられた第１及び第２の部分２４４，２４６から形成される。第１及び第２の部分２４４，２４６は上面２４８から外側に延びており、上面２４８に対してほぼ90°の角度をなす。第１及び第２の部分２４４，２４６は、壁部分２５０，２５２及び頂上部分２５４，２５６を形成するよう曲げられ、形成され、成形され、又は製造される。第１ラッチ２４０は、可撓性を有する材料又は当業者に周知の材料の任意の材料製であってもよい。頂上部分２５４，２５６の内面間に、間隙２５８があってもよい。第１及び第２の部分２４４，２４６は、高さＨ4及び幅Ｗ4を有するコンジットを形成する。高さＨ4及び幅Ｗ4は、ケーブル１７６の直径Ｄ4より若干大きくてもよい。ラッチの寸法及び量は、異なる機器構成に用いることを可能にするために、ストレインリリーフ１１６に対してラッチの部分と同様に変更してもよい。
【００２６】
図１７は、本発明の一実施形態に従ったアダプタ１００のストレインリリーフ１１６に第１及び第２のケーブル組立体１７０，１７２を固定する第１及び第２のラッチ２４０，２４２を示す。第１及び第２のケーブル組立体１７０，１７２は、図９を参照して上述したように、第２嵌合面１０８に第１及び第２のコネクタ１７４，１７８を結合する前又は後に、第１及び第２のラッチ２４０，２４２により固定することができる。第１ケーブル１７６は、矢印Ｉ方向に沿って頂上部分２５４，２５６間の間隙２５８内へ押される。頂上部分２５４，２５６内へ切り込まれて間隙２５８内へ導く角度２６２，２６４は、間隙２５８内へのケーブル１７６の挿入を容易にすることができる。第１及び第２の部分２５４，２５６は外方へ撓み、その後ケーブル１７６がコンジット２６０内に位置すると、第１及び第２の部分２５４，２５６が元の位置に戻る。従って、第１及び第２のラッチ２４０，２４２は、ケーブル１７６，１８０がストレインリリーフ１１６上に載置されると、第１及び第２のケーブル組立体１７０，１７２をしっかりと保持する。
【００２７】
図１８は、本発明の一実施形態に従ったアダプタ１００に１本以上のケーブル組立体を固定するのに使用されるロックアーム２７０を示す。第１及び第２の側部２７２，２８４は、ストレインリリーフ１１６と一体に形成されてもよいし、ストレインリリーフ１１６の側壁２７４，２８６にそれぞれ接着されてもよい。第１側部２７２は、ヒンジ機構２７６又は他の回転可能なデバイスに接続される。ロックアーム２７０の第１端２７８は、ヒンジ機構２７６に接続され、ロックアーム２７０及びストレインリリーフ１１６の間の回転運動を可能にする。或いは、ヒンジ機構２７６はストレインリリーフ１１６と一体に形成でき、これにより、第１側部２７２は必要なくなる。第２側部２８４には、ストレインリリーフ１１６の上面２４８とほぼ水平に延びる縁２８８が形成される。ロックアーム２７０の第２端２８０には、第２側部２８４の縁２８８の下にしっかりとラッチされる突起２８２が形成される。或いは、突起２８２は、ストレインリリーフ１１６の下に延びるフックとして形成することができ、これにより、ロックアーム２７０は、突起２８２が底面１２４に支えられる際にクリップを形成する。このため、第２側部２８４は必要なくなる。任意であるが、ロックアーム２７０はばね付勢されてもよく、ケーブル組立体がアダプタ１００から取り除く必要がある場合に付加的に容易さを与える。
【００２８】
ラッチ位置にある場合、ロックアーム２７０は、ケーブルに損傷を与えることなく又はケーブルを過度に移動させることなくストレインリリーフ１１６上に載置するために、ロックアーム２７０及びストレインリリーフ１１６間にケーブル組立体用の十分な空間を可能にする。従って、ロックアーム２７０は、１本又は複数本のケーブル組立体をストレインリリーフ１１６にしっかりと保持する。ロックアーム２７０は、当業者に周知の任意の適当な材料製であってもよい。
【００２９】
図１９は、本発明の一実施形態に従ったアダプタ１００に１本以上のケーブル組立体を固定するのに使用されるロック帯２９０を示す。ロック帯２９０は、ゴム、プラスチック、布、又はストレインリリーフ１１６及びロック帯自体に接着剤で取り付けることができる他の材料等の材料製の一体品で形成されてもよい。或いは、ロック帯２９０は、ケーブル組立体に張力を与えてストレインリリーフ１１６にケーブル組立体を固定してもよい。
【００３０】
図２０は、本発明の一実施形態に従ったストレインリリーフ１１６の上面２４８に設けることができる粘着性物質２９２，２９４を示す。粘着性物質２９２，２９４は、図示されるように帯（strip）状に塗布してもよいし、横バー１３０の上面２４８の全部又は一部上に塗布してもよい。粘着性物質２９２，２９４は、ケーブル組立体及びストレインリリーフ１１６は共に押圧される際に、ケーブル組立体に接着してもよい。或いは、粘着性物質２９２，２９４上に保護カバー（図示せず）を設け、その後、ケーブル組立体及びストレインリリーフ１１６が共に固定される際に取り外してもよい。
【００３１】
種々の特定実施形態に関して本発明を説明したが、当業者には、特許請求の範囲の真髄の範囲内で本発明を変形して実施できることが理解されよう。
【図面の簡単な説明】
【００３２】
【図１】本発明の一実施形態に従った電気コネクタアダプタを後側から見た斜視図である。
【図２】本発明の一実施形態に従った電気コネクタアダプタの斜視図である。
【図３】典型的な嵌合面を示す図である。
【図４】別の典型的な嵌合面を示す図である。
【図５】本発明の一実施形態に従った図１のアダプタ及びこのアダプタに結合されたケーブル組立体を示す斜視図である。
【図６】本発明の一実施形態に従ってケーブル組立体と相互接続されたアダプタを示す斜視図である。
【図７】本発明の一実施形態に従った図５のケーブル組立体のコネクタ内のコンタクト組と第２嵌合面とを示す図である。
【図８】本発明の一実施形態に従った図１のアダプタ及びこのアダプタに結合された第１及び第２のケーブル組立体を示す斜視図である。
【図９】本発明の一実施形態に従った、第１及び第２のケーブル組立体に相互接続されたアダプタを示す斜視図である。
【図１０】本発明の一実施形態に従った第１のケーブル組立体の第１コネクタ内のコンタクト組と第２嵌合面とを示す図である。
【図１１】本発明の一実施形態に従った図１のアダプタ及びこのアダプタに結合された第１、第２及び第３のケーブル組立体を示す斜視図である。
【図１２】本発明の一実施形態に従った、第１、第２及び第３のケーブル組立体に相互接続されたアダプタを示す斜視図である。
【図１３】本発明の一実施形態に従った第１のケーブル組立体の第１コネクタ内のコンタクト組と第２嵌合面とを示す図である。
【図１４】本発明の一実施形態に従った図６のアダプタ及びケーブル組立体と、ケーブル組立体をアダプタに固定するためのケーブルタイとを示す斜視図である。
【図１５】本発明の一実施形態に従った、ストレインリリーフ内の２個の孔を通って挿入されたケーブルタイでケーブル組立体に結合されたアダプタを示す斜視図である。
【図１６】本発明の一実施形態に従った、固定部材並びに第１及び第２のケーブル組立体を有するアダプタを示す斜視図である。
【図１７】本発明の一実施形態に従ったアダプタのストレインリリーフに第１及び第２のケーブル組立体を固定する第１及び第２のラッチを示す斜視図である。
【図１８】本発明の一実施形態に従ったアダプタに１本以上のケーブル組立体を固定するのに使用されるロックアームを有するアダプタを示す斜視図である。
【図１９】本発明の一実施形態に従ったアダプタに１本以上のケーブル組立体を固定するのに使用されるロック帯を示す斜視図である。
【図２０】本発明の一実施形態に従ったストレインリリーフの上面に設けることができる粘着性物質を示す斜視図である。
【符号の説明】
【００３３】
１００  アダプタ
１０２  ハウジング
１０４  第１嵌合面
１０６  第１のコンタクト組
１０８  第２嵌合面
１１０  第２のコンタクト組
１１６  ストレインリリーフ
１１８  第１支持アーム（支持アーム）
１２０  第２支持アーム（支持アーム）
１３０  横バー
１５２  コネクタ（ケーブル組立体コネクタ）
１７４  第１コネクタ（ケーブル組立体コネクタ）
１７８  第２コネクタ（ケーブル組立体コネクタ）
２４０  第１ラッチ（固定部材）
２４２  第２ラッチ（固定部材）
２７０  ロックアーム
２７８  第１端
２８０  第２端
【図１】
2009512139.tif 000003
【図２】
2009512139.tif 000004
【図３】
2009512139.tif 000005
【図４】
2009512139.tif 000006
【図５】
2009512139.tif 000007
【図６】
2009512139.tif 000008
【図７】
2009512139.tif 000009
【図８】
2009512139.tif 000010
【図９】
2009512139.tif 000011
【図１０】
2009512139.tif 000012
【図１１】
2009512139.tif 000013
【図１２】
2009512139.tif 000014
【図１３】
2009512139.tif 000015
【図１４】
2009512139.tif 000016
【図１５】
2009512139.tif 000017
【図１６】
2009512139.tif 000018
【図１７】
2009512139.tif 000019
【図１８】
2009512139.tif 000020
【図１９】
2009512139.tif 000021
【図２０】
2009512139.tif 000022
【国際調査報告】
2009512139.tif 000023
2009512139.tif 000024
2009512139.tif 000025